(57)【要約】【課題】片手で掴んだとき手になじみ易く、片手操作が容易なリモコン装置１０，５０，６０を提供することを目的とする。また、誤操作を防止できるとともに操作ボタンの押圧操作もし易いリモコン装置を提供することを目的とする。【解決手段】ケース２０の平面視形状をくびれ部２５，２６を有する略瓢箪形に形成するとともに、頭部２３及び胴部２４の横断断面形状を楕円形にしてケース２０全体が丸みを帯びた形状とする。また、ケース２０を裏返してテーブル等に置いたときテーブル等に当たり易い帯状頂部２７のボタン穴２９，３０，３１にはプッシュボタン３５，３８，４０，４２がケース２０表面から突出しないように装着し、プッシュボタン３５，３８，４０，４２がテーブル等に当たって誤操作が生じるのを防止する。テーブル等に当たり難い裾部２８に配置したプッシュボタン３９，４１はボタン穴３２，３３から突出するように装着する。【選択図】図１
2010246051.tif 000002
【特許請求の範囲】
【請求項１】
ケースの表面に複数個のボタン穴を配列し、各ボタン穴にプッシュ式操作ボタンを装着し、ケースの前面に各操作ボタンに対応した電磁波信号を送信する送信部を設けたリモコン装置であって、
ケースの平面視形状を前面に前記送信部を有する頭部と、胴部及び頭部と胴部の両側面を接続するくびれ部からなる略瓢箪形に形成したことを特徴とするリモコン装置。
【請求項２】
頭部及び胴部の横断面形状を略楕円形に形成したことを特徴とする請求項１に記載のリモコン装置。
【請求項３】
前記頭部及び／又は胴部の側面にくびれ部を形成してケースの平面視形状を多段の瓢箪形に形成したことを特徴とする請求項１に記載のリモコン装置。
【請求項４】
前記ケースの表面の縦中心線に沿って帯状頂部を形成するとともに、帯状頂部の両側に頂部からケース側縁へと下降する裾部を形成し、
ボタン穴のうち帯状頂部に配置したボタン穴には操作ボタンの表面がケース表面と面一になるか又はケース表面からケース内側へ引き込むように装着し、
ボタン穴のうち裾部に配置したボタン穴には操作ボタンの表面がケース表面から外側へ突出するように装着したことを特徴とする請求項１、２又は３に記載のリモコン装置。
【請求項５】
前記ケースの表面の縦中心線に沿って帯状頂部を形成するとともに、帯状頂部の両側に頂部からケース側縁へと下降する裾部を形成し、
ボタン穴のうち帯状頂部に配置したボタン穴に装着した操作ボタンの所要押圧操作力を、  ボタン穴のうち裾部に配置したボタン穴に装着した操作ボタンの所要押圧操作力より大きく設定したことを特徴とする請求項１、２又は３に記載のリモコン装置。
【発明の詳細な説明】
【技術分野】
【０００１】
本発明は、赤外線、光、音波等の電磁信号を送信してテレビ、ビデオ、エアコン等の電子機器をリモートコントロールするリモコン装置に関する。
【背景技術】
【０００２】
リモコン装置の一形式として、実開平４−２９２８９号公報には、平面視長方形のケースの表面に複数個のボタン穴を配列し、各ボタン穴にプッシュ式操作ボタンを装着し、ケースの前面に各操作ボタンに対応した電磁波信号を送信する送信部を設けたリモコン装置が開示されている。
【０００３】
このリモコン装置では、ケースを裏返してテーブル等に置いたとき、操作ボタンがテーブル表面に当たって押され、誤操作が発生するのを防止するため、操作ボタンの表面がケース表面から突出しないように全操作ボタンをボタン穴に装着している。
【先行技術文献】
【特許文献】
【０００４】
【特許文献１】実開平４−２９２８９号公報
【発明の概要】
【発明が解決しようとする課題】
【０００５】
上記した従来のリモコン装置はケースの平面視形状が長方形であるが、この形状は片手で掴んだとき手になじみにくく、リモコン装置を片手で取り扱ううえで使い勝手が悪い。
【０００６】
また、誤操作防止のため、全操作ボタンをケース表面から突出しないようにボタン穴に装着しているため、操作ボタンの押圧操作がし難い。
【０００７】
本発明はかかる問題点に鑑み、片手で掴んだとき手になじみ易く、片手操作が容易なリモコン装置を提供することを目的とする。
また、誤操作を防止できるとともに操作ボタンの押圧操作もし易いリモコン装置を提供することを目的とする。
【課題を解決するための手段】
【０００８】
請求項１に記載の発明は、ケースの表面に複数個のボタン穴を配列し、各ボタン穴にプッシュ式操作ボタンを装着し、ケースの前面に各操作ボタンに対応した電磁波信号を送信する送信部を設けたリモコン装置であって、
ケースの平面視形状を前面に前記送信部を有する頭部と、胴部及び頭部と胴部の両側面を接続するくびれ部からなる略瓢箪形に形成したことを特徴とする。
【０００９】
請求項２に記載の発明は、請求項１に記載のリモコン装置において、頭部及び胴部の横断面形状を略楕円形に形成したことを特徴とする。
【００１０】
請求項３に記載の発明は、請求項１に記載のリモコン装置において、前記頭部及び／又は胴部の側面にくびれ部を形成してケースの平面視形状を多段の瓢箪形に形成したことを特徴とする。
【００１１】
請求項４に記載の発明は、請求項１、２又は３に記載のリモコン装置において、前記ケースの表面の縦中心線に沿って帯状頂部を形成するとともに、帯状頂部の両側に頂部からケース側縁へと下降する裾部を形成し、
ボタン穴のうち帯状頂部に配置したボタン穴には操作ボタンの表面がケース表面と面一になるか又はケース表面からケース内側へ引き込むように装着し、
ボタン穴のうち裾部に配置したボタン穴には操作ボタンの表面がケース表面から外側へ突出するように装着したことを特徴とする。
【００１２】
請求項５に記載の発明は、請求項１、２又は３に記載のリモコン装置において、
前記ケースの表面の縦中心線に沿って帯状頂部を形成するとともに、帯状頂部の両側に頂部からケース側縁へと下降する裾部を形成し、
ボタン穴のうち帯状頂部に配置したボタン穴に装着した操作ボタンの所要押圧操作力を、  ボタン穴のうち裾部に配置したボタン穴に装着した操作ボタンの所要押圧操作力より大きく設定したことを特徴とする。
【発明の効果】
【００１３】
請求項１に記載の発明によれば、ケースの平面視形状をくびれ部を有する略瓢箪形としたので、ケースを片手で掴むとき手になじみ易く、使い勝手が良い。
【００１４】
請求項２に記載の発明によれば、頭部及び胴部の横断断面形状を楕円形にしたので、瓢箪形の平面視形状と相俟ってケース全体が丸みを帯びた形状となる。このため、より一層手になじみ易くなる。
【００１５】
請求項３に記載の発明によれば、ケースに複数のくびれ部を形成したので、より一層手になじみ易くなる。
【００１６】
請求項４に記載の発明によれば、ケースを裏返してテーブル等に置いたとき、帯状頂部は下方に突出しているのでテーブルに当たり易いが、裾部は帯状頂部からケース側縁へと上昇しているので、テーブルに当たり難い。
しかして、テーブル等に当たり易い帯状頂部のボタン穴には操作ボタンがケース表面から突出しないように装着するので、テーブル等に置いたとき帯状頂部に配置されている操作ボタンがテーブルに当たって誤操作が生じるのを防止できる。一方、テーブルに当たり難い裾部に配置した操作ボタンはボタン穴から突出するように装着したので、通常の押圧操作がし易く、使い勝手が良い。
【００１７】
請求項５に記載の発明によれば、テーブル等に当たり易い帯状頂部に配置したボタンの所要押圧操作力を裾部に配置したボタンの所要押圧操作力より大きくしたので、テーブルに帯状頂部のボタンが当たっても衝撃が所要押圧操作力より軽ければ誤作動しない。一方、テーブルに当たり難い裾部に配置した操作ボタンの所要押圧操作力は帯状頂部の操作ボタンの所要押圧操作力より小さいので、押圧操作がし易く、使い勝手が良い。
【図面の簡単な説明】
【００１８】
【図１】本発明の第１実施例に係るリモコン装置を示す斜視図である。
【図２】同リモコン装置を示す側面図である。
【図３】同リモコン装置を示す正面図である。
【図４】図１の４−４線から切断した一部破断断面図である。
【図５】図１の５−５−線から切断した一部破断断面図である。
【図６】図１の６−６線から切断した一部破断断面図である。
【図７】本発明の第２実施例に係るリモコン装置を示す斜視図である。
【図８】本発明の第３実施例に係るリモコン装置を示す一部破断断面図である。
【実施例１】
【００１９】
以下に本発明を図面に基づき説明するに、図１〜図６には本発明の第１実施例に係る赤外線式リモコン装置が示されている。当該リモコン装置１０はテレビ、ビデオ、エアコン等の電子機器の受光部に赤外線を照射してその作動を制御するものであり、赤外線の発信に必要な制御回路を内蔵するケース２０を備えている。
【００２０】
このケース２０はアッパケース２１とロアケース２２を合体して構成され、丸みを帯びた頭部２３、頭部２３と略同大の丸みを帯びた胴部２４及び頭部２３の側面と胴部２４の側面を接続する左右両側縁をケース内側へ窪ませて形成して、くびれ部２５から成る平面視瓢箪形に形成されている。図３に示すように頭部２３の前端面には赤外線を電子機器に向けて照射する送信窓２３ａが設けられている。
【００２１】
図４及び図５に示すように頭部の横断断面形状及び胴部の横断断面形状は略楕円形に形成されている。また、このケース２０の裏面には図２及び図６に示すように頭部２３と胴部２４の接続部をケース２０の内側へ窪ませて形成した、くびれ部２６が形成されている。
【００２２】
ケース２０表面には、その縦中心線（図１の６−６線）に沿って頭部２３から胴部２４へと延びる帯状の頂部２７（図１の２点鎖線参照）が形成されるとともに、帯状頂部２７から頭部２３の側縁及び帯状頂部２７から胴部２４の側縁へと下降する裾部２８が形成されている。  
【００２３】
頭部２３の帯状頂部２７には大径ボタン穴２９が形成され、胴部２４の帯状頂部２７に小径ボタン穴３０と楕円形ボタン穴３１が形成されている。頭部２３と胴部２４の中間部には横長ボタン穴３２が形成されている。頭部２３の裾部２８と胴部２４の裾部２８には小径ボタン穴３３が形成されている。また、胴部２４の下端部にはストラップ穴３４が形成されている。
【００２４】
大径ボタン穴２９には皿状のプッシュボタン３５が装着されている。この皿状プッシュボタン３５はヘッド形状が扇形の４個のプッシュボタン３６とその中心に形成されたヘッド形状が円形のプッシュボタン３７から成り、これらプッシュボタン３６，３７は軟質プラスチックで成形されている。
【００２５】
横長ボタン穴３２の中央にはヘッド形状が４角形のプッシュボタン３８と、その両側にヘッド形状が横長半円形のプッシュボタン３９が装着されている。これらプッシュボタン３８，３９は軟質プラスチックで成形されている。また、帯状頂部２７の小径ボタン穴３０と裾部２８の小径ボタン穴３３にはそれぞれヘッド形状が円形のプッシュボタン４０とプッシュボタン４１が装着されている。楕円形ボタン穴３１にはヘッド形状が楕円形のプッシュボタン４２が装着されている。
【００２６】
図４、図５及び図６に示すように、帯状頂部２７のボタン穴２９，３０，３１に装着したプッシュボタン３６，３７，４０，４２及び横長ボタン穴のプッシュボタン３８，３９のうち帯状頂部２８に配置されているプッシュボタン３８はいずれもヘッド部３６ａ，３７ａ，３８ａ，４０ａ，４２ａの表面がケース２０の表面と面一若しくはケース２０内側へ僅かに引っ込むように取り付けられている。一方、裾部２８のボタン穴３３に装着したプッシュボタン４１のヘッド部４１ａ及び横長ボタン穴のプッシュボタン３８，３９のうち裾部２８に配置されたプッシュボタン３９のヘッド部３９ａの表面がケース２０の表面から突出するように取り付けられている。
【００２７】
プッシュボタン３６，３７，３８，４０，４２のヘッド部３６ａ，３７ａ，３８ａ，４０ａ，４２ａの裏面にはプッシュロッド３６ｂ，３７ｂ，３８，４０ｂ，４２ｂが一体成形され、各プッシュロッド３６ｂ，３７ｂ，３８，４０ｂ，４２ｂが基板に固着したタクトスイッチ４３に対向している。同様に、プッシュボタン４１の裏面にもプッシュロッド４１ｂが設けられ、タクトスイッチ４３に対向している。プッシュボタン３６，３７，３８，４０，４１，４２を押圧操作するとプッシュロッド３６ｂ，３７ｂ，３８，４０ｂ，４１ｂ，４２ｂによってタクトスイッチ４３が押圧され、プッシュスイッチ３６，３７，３８，４０，４１，４２に対応した赤外線信号が送信窓２３ａから電子機器に向けて照射される。
【００２８】
本実施例に係るリモコン装置１０の概略構造は以上の通りであって、ケース２０の平面視形状をくびれ部２５，２６を有する略瓢箪形に形成するとともに、頭部２３及び胴部２４の横断断面形状を楕円形にしたので、ケース２０全体が丸みを帯びた形状となる。このため、片手で掴み易く使い勝手が良い。
【００２９】
また、ケース２０を裏返してテーブル等に置いたとき帯状頂部２７は下方へ突出しているので、テーブル等に当たり易いが、裾部２８は帯状頂部２７からケース２０側縁へと上昇しているので、テーブル等に当たり難い。
【００３０】
しかして、テーブル等に当たり易い帯状頂部２７のボタン穴２９，３０，３１にはプッシュボタン３５，３８，４０，４２がケース２０表面から突出しないように装着されているので、テーブル等に置いたとき帯状頂部２７に配置されているプッシュボタン３５，３８，４０，４２がテーブル等に当たって誤操作が生じるのを防止できる。一方、テーブル等に当たり難い裾部２８に配置したプッシュボタン３９，４１はボタン穴３２，３３から突出するように装着したので、通常の押圧操作がし易く、使い勝手が良い。
【実施例２】
【００３１】
次に本発明の第２実施例に係るリモコン装置を図７に示す。当該リモコン装置５０には、頭部２３と胴部２４の中間部に形成した、くびれ部２５に加えて、頭部２３と胴部２４にも２点鎖線で示すようにくびれ部５１，５２を形成して、ケース２０を平面視多段の瓢箪形に形成している。なお、他の構成は実施例１のリモコン装置と同じであるので、説明を省略する。
このように、頭部２３や胴部２４の側面にくびれ部５１，５２を形成してケース２０の平面視形状を多段の瓢箪形に形成すれば、より一層手になじみ易くなる。
【実施例３】
【００３２】
本発明の第３実施例に係るリモコン装置６０を図８に示す。当該リモコン装置６０では、ボタン穴のうち帯状頂部２７に配置したボタン穴３０，３１に装着したプッシュボタン６１，６２も裾部２８のボタン穴３３に装着したプッシュボタン４１も、また横長ボタン穴３２の中央に配置した４角形のプッシュボタン６３もケース２０の表面から突出するように取り付けられている。一方、帯状頂部２７に配置したプッシュボタン６１，６２，６３の所要押圧操作力は、裾部２８に配置したプッシュボタン３９，４１の所要押圧操作力より大きく設定されている。すなわち、帯状頂部２７のプッシュボタン６１，６２，６３に対向するタクトスイッチ６４の材質は裾部２８に配置したプッシュボタン３９，４１や皿状プッシュスイッチ３５に対向するタクトスイッチ４３より若干硬質のプラスチック材料で成形されている。そのため、所要押圧操作力は帯状頂部２７のプッシュボタン６１，６２，６３のほうが裾部２８のプッシュボタン３９，４１や皿状プッシュボタン３５より大きい。
その他の構成は第１実施例に係るリモコン装置と同じであるので、説明を省略する。
【００３３】
本実施例に係るリモコン装置６０によれば、ケース２０を裏返してテーブル等に置いたとき、テーブル等に当たり易い帯状頂部２７に配置したプッシュボタン６１，６２，６３の所要押圧操作力を裾部２８に配置したプッシュボタン３９，４１の所要押圧操作力より大きくしたので、テーブル等に帯状頂部２７のプッシュボタン６１，６２，６３が当たっても衝撃が所要押圧操作力より軽ければ誤作動しない。一方、テーブル等に当たり難い裾部２８に配置したプッシュボタン３９，４１の所要押圧操作力は帯状頂部２７のプッシュボタン６１，６２，６３の所要押圧操作力より小さいので、押圧操作がし易く、使い勝手が良い。
【符号の説明】
【００３４】
１０，５０，６０…リモコン装置
２０…ケース
２３…頭部
２３ａ…送信窓
２４…胴部
２５，２６…くびれ部
２７…帯状頂部
２８…裾部
２９，３０，３１，３２，３３…ボタン穴
３５，３６，３７，３８，３９，４０，４１，４２，６１，６２，６３…プッシュスイッチ
【図１】
2010246051.tif 000003
【図２】
2010246051.tif 000004
【図３】
2010246051.tif 000005
【図４】
2010246051.tif 000006
【図５】
2010246051.tif 000007
【図６】
2010246051.tif 000008
【図７】
2010246051.tif 000009
【図８】
2010246051.tif 000010